(57)【特許請求の範囲】
【請求項１】
Ni基超合金の多結晶鋳造材であって、
前記Ni基超合金は、
12.1質量％以上16質量％以下のCrと、
4質量％以上16質量％以下のCoと、
3質量％以上5質量％以下のAlと、
2.1質量％以上3.3質量％以下のTiと、
4.5質量％以上9質量％以下のWと、
1質量％以上2.4質量％以下のMoと、
1.2質量％以下のNbと、
0.005質量％以上0.05質量％以下のBと、
0.03質量％以上0.2質量％以下のCと、
0質量％超0.005質量％以下のOとを含み、
残部がNiおよび不純物からなる化学組成を有し、
前記多結晶鋳造材は、等軸晶の集合体からなる金属組織または長軸方向が揃った柱状晶の集合体からなる金属組織を有し、1255 K、138 MPaの条件でクリープ試験を行ったときに、クリープ破断時間が150時間以上である、
ことを特徴とするNi基超合金鋳造材。
【請求項２】
請求項１に記載のNi基超合金鋳造材において、
大気中、1373 Kで20時間保持、12回繰り返しの条件で高温繰り返し酸化試験を行ったときに、質量変化量が-15 mg／cm2以内であり、
NaCl：Na2SO4＝1 mol：3 molの混合溶融塩に浸漬、1133 Kで50時間保持の条件で溶融塩浸漬試験を行ったときに、質量変化量が-10 mg／cm2以内である、
ことを特徴とするNi基超合金鋳造材。
【請求項３】
請求項１または請求項２に記載のNi基超合金鋳造材において、
前記不純物は、0.1質量％以下のTaと、0.05質量％以下のHfと、0.05質量％以下のReと、0.05質量％以下のZrと、0.005質量％以下のNと、0.01質量％以下のPと、0.01質量％以下のSとを含むことを特徴とするNi基超合金鋳造材。
【請求項４】
請求項１から請求項３のいずれか一項に記載のNi基超合金鋳造材において、
前記Ni基超合金は、
前記Crが13.1質量％以上16質量％以下で、
前記Coが5.1質量％以上15質量％以下で、
前記Alが3.6質量％以上5質量％以下で、
前記Tiが2.2質量％以上3.3質量％以下で、
前記Wが4.5質量％以上9質量％以下で、
前記Moが1.4質量％以上2.4質量％以下で、
前記Nbが0.5質量％以下で、
前記Bが0.01質量％以上0.03質量％以下で、
前記Cが0.05質量％以上0.15質量％以下で、
前記Oが0.001質量％以上0.005質量％以下であることを特徴とするNi基超合金鋳造材。
【請求項５】
請求項１から請求項３のいずれか一項に記載のNi基超合金鋳造材において、
前記Ni基超合金は、
前記Crが13.1質量％以上14.5質量％以下で、
前記Coが6質量％以上12質量％以下で、
前記Alが3.8質量％以上4.8質量％以下で、
前記Tiが2.3質量％以上3.3質量％以下で、
前記Wが5質量％以上9質量％以下で、
前記Moが1.8質量％以上2.4質量％以下で、
前記Nbが0.1質量％以下で、
前記Bが0.01質量％以上0.02質量％以下で、
前記Cが0.05質量％以上0.12質量％以下で、
前記Oが0.001質量％以上0.004質量％以下であることを特徴とするNi基超合金鋳造材。
【請求項６】
Ni基超合金鋳造材を用いた製造物であって、
前記Ni基超合金鋳造材は、請求項１から請求項５のいずれか一項に記載のNi基超合金鋳造材であり、
前記製造物が、タービン高温部材であることを特徴とするNi基超合金製造物。
【請求項７】
請求項６に記載のNi基超合金製造物において、
前記タービン高温部材が、タービン翼であることを特徴とするNi基超合金製造物。
【発明の詳細な説明】
【技術分野】
【０００１】
本発明は、Ni（ニッケル）基超合金材の技術に係り、特に、高温での機械的特性と耐食性とに優れ、かつ低コスト化が可能なNi基超合金鋳造材および該Ni基超合金鋳造材を用いた製造物に関するものである。
【背景技術】
【０００２】
航空機や火力発電プラントのタービン（ガスタービン、蒸気タービン）において、熱効率向上を目指した主流体温度の高温化は一つの技術トレンドになっている。主流体温度の高温化によって最も過酷な環境に曝されるタービン高温部材（例えば、タービン翼（動翼、静翼）、タービンディスク、燃焼器部材、ボイラー部材）は、運転中の回転遠心力や振動や起動／停止に伴う熱応力を繰り返し受けることから、優れた機械的特性（例えば、クリープ特性、引張特性、疲労特性）を有することが非常に重要である。【０００３】
同時に、高温化された主流体に耐えるため、タービン高温部材は優れた耐食性（耐酸化性を含む）を有することも非常に重要である。そして、タービン高温部材に要求される種々の機械的特性および耐食性を満たすため、その材料としては、現在、Ni基超合金材が広く利用されている。【０００４】
タービン高温部材を製造するにあたり、複雑な形状を有する部材（例えば、タービン翼）は、形状制御性および製造コストの観点から、精密鋳造材が一般的に利用される。精密鋳造材には、等軸晶の集合体からなる金属組織を有する普通精密鋳造材と、長軸方向が揃った柱状晶の集合体からなる金属組織を有する一方向凝固材と、部材全体が一つの結晶からなる金属組織を有する単結晶凝固材とがある。【０００５】
クリープ特性の観点からは、弱化因子と考えられている部材長手方向を分断する結晶粒界を排除した一方向凝固材および単結晶凝固部材が有利であるが、一方向凝固材および単結晶凝固部材は、製造コスト（例えば、製造歩留まり、製造に要する時間）の観点で弱点がある。一方、普通精密鋳造材は、製造コストおよび耐食性の観点から有利であるが、クリープ特性の観点で弱点がある。そこで、普通精密鋳造材の利点を維持しながら、クリープ特性などの機械的特性を向上させる種々の研究開発が行われてきた。【０００６】
例えば、特許文献１（特開2003-013161）には、
0.15質量％以下のC（炭素）、1質量％以下のSi（ケイ素）、1質量％以下のMn（マンガン）、5〜20質量％のCr（クロム）、17〜26質量％のMo（モリブデン）、0.1〜2.0質量％のAl（アルミニウム）、0.1〜2.0質量％のTi（チタン）、10質量％以下のFe（鉄）、0.02質量％以下のB（ホウ素）、0.2質量％以下のZr（ジルコニウム）、Nb（ニオブ）、Ta（タンタル）、W（タングステン）、Re（レニウム）を含み、残部の成分は、実質的にNi（ニッケル）からなり、
Al、Ti、NbおよびTaの含有量の和は、1〜5.5原子％であり、
次式：「17≦Mo＋(W＋Re)／2≦27」、Mo：モリブデンの含有質量％、W：タングステンの含有質量％、Re：レニウムの含有質量％、を満たし、
次式：「Nb＋Ta／2≦1.5」、Nb：ニオブの含有質量％、Ta：タンタルの含有質量％、を満たし、
金属間化合物Ni3Al、Ni3(Al,Nb,Ta)またはNi3(Al,Ti)からなるγ’相と、金属間化合物Ni2(Mo，Cr)からなるA2B相とが複合析出しているオーステナイト系低熱膨張Ni基超合金が、開示されている。【０００７】
また、特許文献２（特開2004-197131）には、
12.0〜16.0重量％のCr，4.0〜9.0重量％のCo（コバルト），3.4〜4.6重量％のAl，0.5〜1.6重量％のNb，0.05〜0.16重量％のC，0.005〜0.025重量％のB，0〜2.0重量％のHf（ハフニウム），0〜0.5重量％のRe，0〜0.05重量％以下のZr，0〜0.005重量％のO（酸素），0〜0.005重量％のN（窒素），0〜0.01重量％のSi，0〜0.2重量％のMn，0〜0.01重量％のP（リン），0〜0.01重量％のS（硫黄）、及びTi，Ta，Mo，Wを含み、所定の関係式で求められるTi Eqが4.0〜6.0の範囲、Mo Eqが5.0〜8.0の範囲にあり、γ’相が析出したNi基超合金よりなることを特徴とするNi基耐熱合金。
【先行技術文献】
【特許文献】
【０００８】
【特許文献１】特開２００３−０１３１６１号公報
【特許文献２】特開２００４−１９７１３１号公報
【発明の概要】
【発明が解決しようとする課題】
【０００９】
特許文献１によると、オーステナイト系耐熱合金と同等の高温強度と耐食性・耐酸化性を有するオーステナイト系低熱膨張Ni基超合金を提供できるとされている。特許文献２によると、優れた高温クリープ破断強度と耐酸化性及び耐食性を併せ持った普通鋳造用又は一方向凝固用のNi基耐熱合金を提供できるとされている。【００１０】
前述したように、タービン高温部材において主流体温度の高温化に耐えられる機械的特性および耐食性の確保は、必達の課題である。【００１１】
一方、工業製品に対しては、当然のことながら低コスト化の強い要求があり、製品を低コストで提供する技術の確立は、最重要課題のうちの一つである。低コスト化の観点においては、普通精密鋳造材に好適に利用できるNi基超合金であって、その成分として高価な元素（例えば、Re、Hf、Ta）を意図的には添加しないことが好ましいことは明らかである。【００１２】
さらに、タービン高温部材が、精製度合の比較的低い燃料（不純物を比較的多く含む燃料）の使用にも耐えられるような高い耐食性を確保することができれば、該高温部材を用いることによってタービンの運転コストを低減することができるという副次的な効果も期待できる。【００１３】
本発明は、上記のような課題に鑑みてなされたものであり、その目的は、従来の普通精密鋳造材と同等の機械的特性を維持しながら、従来材と同等以上の耐食性を達成し、かつ従来材よりも低コスト化が可能なNi基超合金鋳造材およびそれを用いたNi基超合金製造物を提供することにある。
【課題を解決するための手段】
【００１４】
（I）本発明の一態様は、Ni基超合金の多結晶鋳造材であって、
前記Ni基超合金は、
12.1質量％以上16質量％以下のCrと、
4質量％以上16質量％以下のCoと、
3質量％以上5質量％以下のAlと、
2.1質量％以上3.3質量％以下のTiと、
3.5質量％以上9質量％以下のWと、
1質量％以上2.4質量％以下のMoと、
1.2質量％以下のNbと、
0.005質量％以上0.05質量％以下のBと、
0.03質量％以上0.2質量％以下のCと、
0質量％超0.005質量％以下のOとを含み、
残部がNiおよび不純物からなる化学組成を有することを特徴とするNi基超合金鋳造材を、提供するものである。【００１５】
本発明は、上記のNi基超合金鋳造材（I）において、以下のような改良や変更を加えることができる。
（i）前記不純物は、0.1質量％以下のTaと、0.05質量％以下のHfと、0.05質量％以下のReと、0.01質量％以下のZrと、0.005質量％以下のNと、0.01質量％以下のPと、0.01質量％以下のSとを含む。
（ii）前記Ni基超合金は、前記Crが13.1質量％以上16質量％以下で、前記Coが5.1質量％以上15質量％以下で、前記Alが3.6質量％以上5質量％以下で、前記Tiが2.2質量％以上3.3質量％以下で、前記Wが4.5質量％以上9質量％以下で、前記Moが1.4質量％以上2.4質量％以下で、前記Nbが0.5質量％以下で、前記Bが0.01質量％以上0.03質量％以下で、前記Cが0.05質量％以上0.15質量％以下で、前記Oが0.001質量％以上0.005質量％以下である。
（iii）前記Ni基超合金は、前記Crが13.1質量％以上14.5質量％以下で、前記Coが6質量％以上12質量％以下で、前記Alが3.8質量％以上4.8質量％以下で、前記Tiが2.3質量％以上3.3質量％以下で、前記Wが5質量％以上9質量％以下で、前記Moが1.8質量％以上2.4質量％以下で、前記Nbが0.1質量％以下で、前記Bが0.01質量％以上0.02質量％以下で、前記Cが0.05質量％以上0.12質量％以下で、前記Oが0.001質量％以上0.004質量％以下である。【００１６】
（II）本発明の他の一態様は、Ni基超合金鋳造材を用いた製造物であって、
前記Ni基超合金鋳造材は、上記のNi基超合金鋳造材であり、等軸晶の集合体からなる金属組織または長軸方向が揃った柱状晶の集合体からなる金属組織を有することを特徴とするNi基超合金製造物を、提供するものである。【００１７】
本発明は、上記のNi基超合金製造物（II）において、以下のような改良や変更を加えることができる。
（iv）前記製造物が、タービン高温部材である。
（v）前記タービン高温部材が、タービン翼である。
【発明の効果】
【００１８】
本発明によれば、従来の普通精密鋳造材と同等の機械的特性を維持しながら、従来材と同等以上の耐食性を達成し、かつ従来材よりも低コスト化が可能なNi基超合金鋳造材およびそれを用いたNi基超合金製造物を提供することができる。
【図面の簡単な説明】
【００１９】
【図１】本発明に係るNi基超合金製造物の一例としてのタービン動翼の例を示す斜視模式図である。
【図２】本発明に係るNi基超合金製造物の他の一例としてのタービン静翼の例を示す斜視模式図である。
【発明を実施するための形態】
【００２０】
（本発明の基本思想）
前述したように、本発明は、タービン高温部材などのNi基超合金製造物として好適に利用できるNi基超合金の多結晶鋳造材を対象としており、特に、従来の普通精密鋳造材と同等の機械的特性を維持しながら従来材と同等以上の耐食性（耐酸化性を含む）を達成し、かつ従来材よりも低コスト化が可能なNi基超合金鋳造材の提供を目的としている。そして、当該目的を達成するため、本発明者等は、Ni基超合金の成分バランス（すなわち合金組成）を詳細に検討した。
【００２１】
概略的には、まず、低コスト化を実現するために、高価な元素（例えば、Re、Hf、Ta）を意図的に含有させることを控えることにした（合金原料から不可避的に混入することは許容する）。ただし、それらの元素は、従来技術において高温での機械的特性の向上に必要とされてきた成分であるため、機械的特性の低下が懸念された。
【００２２】
そこで、望ましい機械的特性を達成するために、固溶強化の作用効果があるとされるWおよびMoの含有率の最適化を検討した。さらに、望ましい耐食性を達成するために、TiおよびMoの含有率の最適化を検討した。言い換えると、従来技術に比して、Re、Hf、Taなどの高価な元素を意図的には含有させない代わりに、W、MoおよびTiの含有率の最適化を鋭意研究した。
【００２３】
その結果、本明細書で規定する化学組成（合金組成とも言う）を有するNi基超合金を用いることによって、上記目的を達成する多結晶鋳造材が得られることを見出した。本発明は、当該知見に基づいて完成されたものである。
【００２４】
以下、本発明の実施形態について、図面を参照しながら具体的に説明する。ただし、本発明は、ここで取り挙げた実施形態に限定されるものではなく、発明の技術的思想を逸脱しない範囲で、公知技術と適宜組み合わせたり公知技術に基づいて改良したりすることが可能である。
【００２５】
［Ni基超合金鋳造材］
（Ni基超合金の化学組成）
以下、本発明で用いるNi基超合金の組成（各成分）について説明する。
【００２６】
Cr成分：12.1質量％以上16質量％以下
Cr成分は、γ相中に固溶して機械的特性（例えば、クリープ強度）を向上させる（「固溶強化する」とも言う）とともに、超合金鋳造材の表面に酸化物被膜（例えば、Cr2O3）を形成して耐食性（特に、耐溶融塩腐食）を向上させる作用効果がある。Cr含有率は、12.1質量％以上16質量％以下が好ましく、13.1質量％以上16質量％以下がより好ましく、13.1質量％以上14.5質量％以下が更に好ましい。
【００２７】
Cr含有率が12.1質量％未満になると、上記の作用効果が十分に得られない。一方、Cr含有率が16質量％超になると、脆化相であるトポロジー最密充填相（TCP相、例えばσ相、μ相）が析出し易くなって機械的特性や耐食性が大きく低下したり、他の固溶強化元素（例えば、W、Mo）の固溶可能量を低下させて固溶強化の効果が低下したりする。
【００２８】
Co成分：4質量％以上16質量％以下
Co成分は、Niに近い元素でありNiと置換する形でγ相中に固溶し、機械的特性（例えば、クリープ強度）を向上させるとともに、耐食性を向上させる作用効果がある。Co含有率は、4質量％以上16質量％以下が好ましく、5.1質量％以上15質量％以下がより好ましく、6質量％以上12質量％以下が更に好ましい。
【００２９】
Co含有率が4質量％未満になると、上記の作用効果が十分に得られない。一方、Co含有率が16質量％超になると、高温での機械的強化因子であるγ’相（L12型のNi基金属間化合物相）の析出が抑制され易くなり、機械的特性（例えば、クリープ強度）が低下する。
【００３０】
Al成分：3質量％以上5質量％以下
Al成分は、γ’相（例えば、Ni3Al相）を形成するための必須成分である。また、Al成分は、超合金鋳造材の表面に酸化物被膜（例えば、Al2O3）を形成することで耐食性（耐酸化性を含む）を向上させる作用効果もある。Al含有率は、3質量％以上5質量％以下が好ましく、3.6質量％以上5質量％以下がより好ましく、3.8質量％以上4.8質量％以下が更に好ましい。
【００３１】
Al含有率が3質量％未満になると、上記の作用効果が十分に得られない。一方、Al含有率が5質量％超になると、鋳造凝固時に共晶γ’相（溶体化−時効処理により析出するγ’相と形態が異なる相）の結晶粒が生成・成長し易くなる。粗大な共晶γ’相粒はクリープ現象での亀裂の起点となり易いため、機械的特性（例えば、クリープ強度）が低下する。また、他の金属成分（例えば、Cr成分）との複合酸化物を形成すると、耐食性低下の要因となる。
【００３２】
Ti成分：2.1質量％以上3.3質量％以下
Ti成分は、Al成分と共にγ’相（例えば、Ni3(Al,Ti)相）を形成し、機械的特性（例えば、クリープ強度）を向上させる作用効果がある。さらに、Ti成分は、Ni基合金の高温における耐食性（例えば、溶融塩腐食に対する耐食性）を大きく向上させる作用効果がある。Ti含有率は、2.1質量％以上3.3質量％以下が好ましく、2.2質量％以上3.3質量％以下がより好ましく、2.3質量％以上3.3質量％以下が更に好ましい。
【００３３】
Ti含有率が2.1質量％未満になると、上記の作用効果が十分に得られない。一方、Ti含有率が3.3質量％超になると、Ni基合金の耐酸化性を劣化させるとともに、脆化相であるη相（D024型のNi基金属間化合物相、例えばNi3Ti相）が析出し易くなって機械的特性（例えば、クリープ強度）が低下する。
【００３４】
W成分：3.5質量％以上9質量％以下
W成分は、γ相中やγ’相中に固溶して固溶強化する作用効果がある。W含有率は、3.5質量％以上9質量％以下が好ましく、4.5質量％以上9質量％以下がより好ましく、5質量％以上9質量％以下が更に好ましい。
【００３５】
W含有率が3.5質量％未満になると、上記の作用効果が十分に得られない。一方、W含有率が9質量％超になると、Wを主成分とする針状の析出物（例えば、α-酸化タングステン）が析出し易くなって機械的特性および耐食性が低下する。
【００３６】
Mo成分：1質量％以上2.4質量％以下
Mo成分は、γ’相の固溶温度を上昇させる作用効果とともに、W成分と同様に固溶強化する作用効果がある。また、MoはWに比して比重が小さいため、W成分の一部をMo成分で置き換えると考えると、超合金鋳造材の重量化を抑制しているという利点もある。加えて、Cr成分と同様に耐食性を向上させる作用効果もある。Mo含有率は、1質量％以上2.4質量％以下が好ましく、1.4質量％以上2.4質量％以下がより好ましく、1.8質量％以上2.4質量％以下が更に好ましい。
【００３７】
Mo含有率が1質量％未満になると、上記の作用効果が十分に得られない。一方、Mo含有率が2.4質量％超になると、かえって耐酸化性（特に、耐酸化性）が低下する。
【００３８】
Nb成分：1.2質量％以下
Nb成分は、Al成分とTi成分と共にγ’相（例えば、Ni3(Al,Nb,Ti)相）を形成し、機械的特性（例えば、クリープ強度）を向上させる作用効果がある。また、高温耐食性を少し改善する作用効果もある。本発明の超合金鋳造材において、Nb成分は必須の構成成分ではない。よって、Nb成分を含有させる場合、その含有率は、1.2質量％以下が好ましく、0.5質量％以下がより好ましく、0.1質量％以下が更に好ましい。
【００３９】
Nb成分が必須の構成成分でないことから、含有させなくても特段の問題は生じない。一方、Nb含有率が1.2質量％超にすると、脆化相であるη相が析出し易くなって機械的特性（例えば、クリープ強度）が低下する。
【００４０】
B成分：0.005質量％以上0.05質量％以下
B成分は、結晶粒界に偏析して結晶粒界強度の向上に寄与する作用効果がある。クリープ強度と結晶粒界強度とをバランスさせるためには、B含有率は、0.005質量％以上0.05質量％以下が好ましく、0.01質量％以上0.03質量％以下がより好ましく、0.01質量％以上0.02質量％以下が更に好ましい。
【００４１】
B含有率が0.005質量％未満になると、上記の作用効果が十分に得られない。一方、B含有率が0.05質量％超になると、過剰のホウ化物を形成し、本超合金の固相線温度（いわゆる融点）が大きく低下するため、クリープ強度が著しく低下する。
【００４２】
C成分：0.03質量％以上0.2質量％以下
C成分も、クリープ強度と結晶粒界強度との両立を図る上で重要な成分であり、結晶粒界に偏析して結晶粒界強度の向上に寄与する作用効果がある。クリープ強度と結晶粒界強度とをバランスさせるためには、C含有率は、0.03質量％以上0.2質量％以下が好ましく、0.05質量％以上0.15質量％以下がより好ましく、0.05質量％以上0.12質量％以下が更に好ましい。
【００４３】
C含有率が0.03質量％未満になると、上記の作用効果が十分に得られない。一方、C含有率が0.2質量％超になると、過剰の炭化物を形成し、機械的特性（例えば、クリープ強度、延性）が低下するとともに、耐食性も低下する。
【００４４】
O成分：0質量％超0.005質量％以下
O成分は、耐食性の向上に寄与する酸化物被膜（例えば、Cr2O3、Al2O3）を形成するための必須成分である。一方、O成分は、酸化物の粗大粒子を形成した場合に、超合金鋳造材の機械的特性（例えば、クリープ強度、延性）を低下させる不純物でもある。O成分の含有率を0.005質量％以下に制御することで、負の影響を抑制することができる。O含有率は、0質量％超0.005質量％以下が好ましく、0.001質量％以上0.005質量％以下がより好ましく、0.001質量％以上0.004質量％以下が更に好ましい。
【００４５】
残部成分：Niおよび不純物
Ni成分は、主成分（最大含有率の成分）であり、上述した各種構成成分とのバランスの結果、Ni含有率は、51質量％以上74質量％以下が好ましく、55質量％以上70質量％以下がより好ましい。
【００４６】
本発明における不純物は、意図的に添加・含有させる成分ではなく、その含有率をできるだけ少なくしたい成分を意味する。本発明の超合金鋳造材の不純物としては、例えば、Ta、Hf、Re、Zr、N、P、Sが挙げられる。なお、0.1質量％以下のTa、0.05質量％以下のHf、0.05質量％以下のRe、0.01質量％以下のZr、0.005質量％以下のN、0.01質量％以下のP、および0.01質量％以下のSは、混入許容の範囲である。
【００４７】
Ta成分：0.1質量％以下
Ta成分は、Al成分とTi成分と共にγ’相（例えば、Ni3(Al,Ta,Ti)相）を形成し、機械的特性（例えば、クリープ強度）を向上させる作用効果がある。ただし、本発明においては、超合金鋳造材の低コスト化のために高価な原料の使用を避ける（意図的には添加しない）ことから、上述したようにTa成分を不純物として扱う。すなわち、実質的にTa成分を含有しないことが好ましい。
【００４８】
なお、他成分の原料や製造工程（例えば、坩堝、鋳型）に起因して混入する結果的なTa含有を否定するものではない。例えば、Ta含有率は、0.1質量％以下が好ましい許容範囲であり、0.05質量％以下がより好ましい許容範囲である。
【００４９】
Hf成分：0.05質量％以下
Hf成分は、超合金鋳造材の表面に形成される酸化物被膜（例えば、Cr2O3、Al2O3）の密着性を向上させることで、高温での耐食性を向上させる作用効果がある。ただし、本発明においては、超合金鋳造材の低コスト化のために高価な原料の使用を避ける（意図的には添加しない）ことから、上述したようにHf成分を不純物として扱う。すなわち、実質的にHf成分を含有しないことが好ましい。
【００５０】
なお、他成分の原料や製造工程（例えば、坩堝、鋳型）に起因して混入する結果的なHf含有を否定するものではない。例えば、Hf含有率は、0.05質量％以下が好ましい許容範囲であり、0.01質量％以下がより好ましい許容範囲である。
【００５１】
Re成分：0.05質量％以下
Re成分は、Wと同様にγ相を固溶強化するとともに、耐食性を向上させる作用効果がある。ただし、本発明においては、超合金鋳造材の低コスト化のために高価な原料の使用を避ける（意図的には添加しない）ことから、上述したようにRe成分を不純物として扱う。すなわち、実質的にRe成分を含有しないことが好ましい。
【００５２】
なお、他成分の原料や製造工程（例えば、坩堝、鋳型）に起因して混入する結果的なRe含有を否定するものではない。例えば、Re含有率は、0.05質量％以下が好ましい許容範囲であり、0.01質量％以下がより好ましい許容範囲である。
【００５３】
Zr成分：0.01質量％以下
Zr成分は、極微量であれば結晶粒界に偏析して結晶粒界強度の向上に寄与する作用効果がある。一方、Zr成分は、Ni基金属間化合物相（例えば、Ni3Zr相）を形成し易く、本超合金の固相線温度（いわゆる融点）を低下させて機械的特性が低下するデメリットが大きい不純物でもある。Zr含有率を0.01質量％以下に制御することで、負の影響を抑制することができる。Zr含有率は0.005質量％以下がより好ましい。
【００５４】
N成分：0.005質量％以下
N成分は、極微量であれば超合金の構成成分と化合して窒化物（例えば、Cr窒化物やAl窒化物）の微細粒子を形成して機械的特性（例えば、硬さ）を向上させる作用効果がある。一方、N成分は、窒化物の粗大粒子を形成した場合に、超合金鋳造材の機械的特性（例えば、クリープ強度、延性）を低下させる不純物でもある。N成分の含有率を0.005質量％以下に制御することで、負の影響を抑制することができる。N含有率は0.004質量％以下がより好ましい。
【００５５】
P：0.01質量％以下
P成分は、超合金鋳造材の結晶粒界に偏析し易く、機械的特性や結晶粒界の耐食性を低下させる不純物である。P含有率を0.01質量％以下に制御することで、それらの負の影響を抑制することができる。P含有率は、0.008質量％以下がより好ましく、0.005質量％以下が更に好ましい。
【００５６】
S：0.01質量％以下
S成分は、超合金の構成成分と化合して比較的低融点の硫化物を生成し易く、超合金鋳造材の機械的特性を低下させる不純物である。S成分の含有率を0.01質量％以下に制御することで、それらの負の影響を抑制することができる。S含有率は、0.008質量％以下がより好ましく、0.005質量％以下が更に好ましい。
【００５７】
［Ni基超合金鋳造材を用いた製造物］
前述したように、本発明のNi基超合金鋳造材は、その合金組成において、低コスト化を実現するためにTa、HfおよびReなどの高価な元素を意図的に添加せず、望ましい機械的特性と望ましい耐食性とを達成するためにW、MoおよびTiの含有率の最適化を図ったものである。
【００５８】
また、鋳造材の種類としては、等軸晶の集合体からなる金属組織を有する普通精密鋳造材や、長軸方向が揃った柱状晶の集合体からなる金属組織を有する一方向凝固材が好適である。製造コストおよび耐食性をより優先する場合は、普通精密鋳造材が好ましい。クリープ特性などの機械的特性をより優先する場合は、一方向凝固材が好ましい。
【００５９】
これら技術思想の結果、本発明のNi基超合金製造物は、機械的特性（例えば、クリープ強度）と高温での耐食性（耐酸化性を含む）とが良くバランスしており、かつ従来材よりも低コスト化が可能である。そのため、本発明のNi基超合金製造物は、高温・腐食環境で使用されるタービン高温部材として好適に利用できる。
【００６０】
図１は、本発明に係るNi基超合金製造物の一例としてのタービン動翼の例を示す斜視模式図である。図１に示したように、タービン動翼100は、概略的に、翼部110とシャンク部120とルート部（ダブティル部とも言う）130とから構成される。シャンク部120は、プラットホーム121とラジアルフィン122とを備えている。なお、発電用ガスタービンの場合、例えば、タービン動翼100の大きさ（図中縦方向の長さ）は10〜100 cm程度、重量は1〜10 kg程度である。
【００６１】
図２は、本発明に係るNi基超合金製造物の他の一例としてのタービン静翼の例を示す斜視模式図である。図２に示したように、タービン静翼200は、概略的に、内輪側エンドウォール210と翼部220と外輪側エンドウォール230とから構成される。なお、発電用ガスタービンの場合、例えば、タービン静翼200の翼部220の長さ（両エンドウォールの間の距離）は170 mm程度である。
【実施例】
【００６２】
以下、実験例により本発明をさらに具体的に説明する。なお、本発明はこれらの実験例に限定されるものではない。【００６３】
［実験１］
（発明鋳造材ICA-1〜ICA-10および従来鋳造材CCA-1〜CCA-4の作製）
耐火坩堝と真空誘導炉とを用いて、本発明で規定する合金組成を有するNi基超合金および従来技術の合金組成を有するNi基超合金を溶製・鋳造して、マスターインゴット（それぞれ直径８０  ｍｍ、長さ300 mm）を用意した。次に、各マスターインゴットをアルミナ坩堝内で真空溶解し、1273 Kに加熱したセラミック鋳型に鋳込んで円柱状鋳物（それぞれ直径20 mm、長さ150 mm）を用意した。次に、各円柱状鋳物に対して、表１に示す条件の溶体化処理および時効処理を行って、発明鋳造材ICA-1〜ICA-10および従来鋳造材CCA-1〜CCA-4を作製した。【００６４】
【表１】
0006982172.tif 000002
【００６５】
得られた発明鋳造材ICA-1〜ICA-10および従来鋳造材CCA-1〜CCA-4のそれぞれから合金組成分析用の試験片を採取し、化学分析を行って合金組成の定量分析を行った。結果を表２に示す。【００６６】
【表２】
0006982172.tif 000003
【００６７】
表２において、Ni成分の「Bal.」は、表に記載の成分以外の不純物を含むものとする。なお、従来鋳造材CCA-1は特公昭46-27144を参照して用意したNi基合金鋳造材であり、従来鋳造材CCA-2は特開昭51-34819を参照して用意したNi基合金鋳造材であり、従来鋳造材CCA-3は特開平6-57359を参照して用意したNi基合金鋳造材であり、従来鋳造材CCA-4は特開2004-197131を参照して用意したNi基合金鋳造材である。【００６８】
表２に示したように、発明鋳造材ICA-1〜ICA-10は、Ta、HfおよびReを意図的に含有させていないことや、W、MoおよびTiの含有率バランスにおいて、従来鋳造材CCA-1〜CCA-4と差異があることが判る。【００６９】
［実験２］
（ICA-1〜ICA-10およびCCA-1〜CCA-4に対する試験・評価）
（１）機械的特性評価
実験１で作製したICA-1〜ICA-10およびCCA-1〜CCA-4に対して機械加工を施して、クリープ試験片（平行部直径6 mm、長さ30 mm）を用意した。次に、各クリープ試験片に対して、クリープ試験（1255 K、138 MPa）を行い、クリープ破断時間を測定した。【００７０】
クリープ破断時間が150時間以上を「合格」と判定し、150時間未満を「不合格」と判定した。結果を後述する表３に示す。【００７１】
（２）耐酸化性評価
実験１で作製したICA-1〜ICA-10およびCCA-1〜CCA-4に対して機械加工を施して、酸化試験片（幅10 mm、長さ２５  ｍｍ、厚さ1.5 mm）を用意した。次に、各酸化試験片に対して、高温繰り返し酸化試験（大気中、1373 Kで20時間保持、12回繰り返し）を行い、酸化試験片の単位表面積あたりの質量変化量（mg／cm2）を測定した。質量変化量が小さいほど（負数の絶対値が小さいほど）耐酸化性が高いことを意味する。【００７２】
質量変化量が-15 mg／cm2以内（減量が15 mg／cm2以下）を「合格」と判定し、-15 mg／cm2超（減量が15 mg／cm2超）を「不合格」と判定した。結果を表３に併記する。【００７３】
（３）耐溶融塩腐食性評価
実験１で作製したICA-1〜ICA-10およびCCA-1〜CCA-4に対して機械加工を施して、腐食試験片（一辺14 mmの立方体）を用意した。次に、各腐食試験片に対して、溶融塩浸漬試験（NaCl：Na2SO4＝1 mol：3 molの混合溶融塩に浸漬、1133 Kで50時間保持）を行い、腐食試験片の単位表面積あたりの質量変化量（mg／cm2）を測定した。質量変化量が小さいほど（負数の絶対値が小さいほど）耐溶融塩腐食性が高いことを意味する。【００７４】
質量変化量が-10 mg／cm2以内（減量が10 mg／cm2以下）を「合格」と判定し、-10 mg／cm2超（減量が10 mg／cm2超）を「不合格」と判定した。結果を表３に併記する。【００７５】
【表３】
0006982172.tif 000004
【００７６】
表３に示したように、従来鋳造材CCA-1は、機械的特性が合格であるが、耐酸化性および耐溶融塩腐食性（すなわち耐食性）に大きな弱点を有する。従来鋳造材CCA-2は、良好な耐溶融塩腐食性を示すが、機械的特性および耐酸化性が不合格である。従来鋳造材CCA-3は、優れた機械的特性および優れた耐酸化性を示すが、耐溶融塩腐食性が不合格である。従来鋳造材CCA-4は、機械的特性および耐酸化性が合格であるが、耐溶融塩腐食性が不合格である。【００７７】
これら従来鋳造材に対し、発明鋳造材ICA-1〜ICA-10は、機械的特性、耐酸化性および耐溶融塩腐食性の全てにおいて合格であることが判る。すなわち、本発明鋳造材は、従来鋳造材に比して、機械的特性、耐酸化性および耐溶融塩腐食性が高いレベルでバランスしていることが確認される。また、本発明鋳造材は、前述したように高価な元素（Ta、HfおよびReなど）を利用しないことから、従来鋳造材に比して低コスト化が可能である。【００７８】
［実験３］
（一方向凝固材の作製と試験・評価）
上述の発明鋳造材ICA-1と同じマスターインゴットを用いて、一方向凝固鋳造により板状鋳物（幅100 mm、長さ200 mm、厚さ15 mm）を用意した（長さ方向が凝固方向である）。次に、該板状鋳物に対して、実験１と同様の溶体化処理および時効処理を行って、発明鋳造材ICA-1-2を作製した。【００７９】
次に、発明鋳造材ICA-1-2に対して、実験２と同様のクリープ試験、高温繰り返し酸化試験、および溶融塩浸漬試験を行って、機械的特性、耐酸化性および耐溶融塩腐食性を評価した。その結果、発明鋳造材ICA-1と同等の耐酸化性および耐溶融塩腐食性を維持しながら、クリープ強度がICA-1よりも大幅に向上することが確認された。【００８０】
上述した実施形態や実験例は、本発明の理解を助けるために説明したものであり、本発明は、記載した具体的な構成のみに限定されるものではない。例えば、実施形態の構成の一部を当業者の技術常識の構成に置き換えることが可能であり、また、実施形態の構成に当業者の技術常識の構成を加えることも可能である。すなわち、本発明は、本明細書の実施形態や実験例の構成の一部について、発明の技術的思想を逸脱しない範囲で、削除・他の構成に置換・他の構成の追加をすることが可能である。
【符号の説明】
【００８１】
100…タービン動翼、110…翼部、120…シャンク部、121…プラットホーム、122…ラジアルフィン、130…ルート部、200…タービン静翼、210…内輪側エンドウォール、220…翼部、230…外輪側エンドウォール。
【図１】
0006982172.tif 000005
【図２】
0006982172.tif 000006